(57)【特許請求の範囲】
【請求項１】
リモコン信号を受信して出力を生じる受信回路と、
この受信回路の出力に応じて始動し、所定時間持続する時限出力を形成するタイマ回路と、
商用電源路に挿入され、制御信号が与えられる度にオン、オフ反転動作して前記商用電源路のオン、オフを行うラッチングリレーと、
前記タイマ回路の時限出力の立ち上がりおよび立ち下りで瞬時型の信号を形成し、前記制御信号として前記ラッチングリレーに与える出力制御回路と、
前記商用電源路に流れる電流が所定値を上回るとき前記タイマ回路に出力を与えて前記時限出力の形成動作を継続させ、下回ったとき前記タイマ回路への出力を停止する電流検知回路と、
をそなえた節電用電源遮断装置。
【請求項２】
請求項１記載の節電用電源遮断装置において、
前記ラッチングリレーおよび前記電流検知回路をバイパスするように手動スイッチが設けられた節電用電源遮断装置。
【請求項３】
請求項１記載の節電用電源遮断装置において、
前記電流検知回路、前記受信回路、前記タイマ回路および前記出力制御回路に対して太陽電池、商用電源、電池の少なくとも１つから給電するようにした節電用電源遮断装置。
【発明の詳細な説明】
【０００１】
【発明の属する技術分野】
本発明は、電気機器の無駄な電力消費量を最少限にするために電源遮断を行う装置に関する。
【０００２】
【従来の技術】
家庭用電気機器、とくにテレビジョン受像機を含むＡＶ機器は、常時使用する訳ではないが、非使用時に電源をオフとせずに、使用時に直ちに動作開始できるように待機状態にしていることが多い。
【０００３】
テレビジョン受像機における待機状態での電力消費は、一般に１０Ｗ程度であり、映像を映しているときの電力消費１００Ｗ程度に比べて１０％程度である。
【０００４】
【発明が解決しようとする課題】
この待機状態における電力消費は、電力値では小さいが、待機時間全体を通算するとかなり大きな電力量となる。しかも種々の機器が何れも待機状態であるとすると、その合計消費電力量は膨大なものとなる。
【０００５】
そして、電力消費は環境問題との関連でも低減が呼び掛けられており、なんらかの改善が求められている。
【０００６】
本発明は上述の点を考慮してなされたもので、電気機器の待機状態での電力消費を最少化する節電用電源遮断装置を提供するものである。
【０００７】
【課題解決のための手段】
本発明は上述の点を考慮してなされたもので、
リモコン信号を受信して出力を生じる受信回路と、
この受信回路の出力に応じて始動し、所定時間持続する時限出力を形成するタイマ回路と、
商用電源路に挿入され、制御信号が与えられる度にオン、オフ反転動作して前記商用電源路のオン、オフを行うラッチングリレーと、
前記タイマ回路の時限出力の立ち上がりおよび立ち下りで瞬時型の信号を形成し、前記制御信号として前記ラッチングリレーに与える出力制御回路と、
前記商用電源路に流れる電流が所定値を上回るとき前記タイマ回路に出力を与えて前記時限出力の形成動作を継続させ、下回ったとき前記タイマ回路への出力を停止する電流検知回路と、
をそなえた節電用電源遮断装置、
を提供するものである。
【０００８】
【発明の実施の形態】
図１は、本発明の一実施例の構成をブロック線図として示したものである。ここでは、リモートコントロール（以下、単にリモコンという。）式のテレビジョン受像機（以下、単にテレビという。）を本発明の装置により電源遮断を行う対象電気機器として想定している。
【０００９】
本発明の装置は、入力端子ＩＮが商用電源に接続され、出力端子ＯＵＴにテレビが接続される。そして、入力端子ＩＮと出力端子ＯＵＴとの間にラッチングリレー１および電流検知回路２が挿入されており、これら両者に跨るように手動ＳＷ（スイッチ）３が接続されてテレビへの給電路を開閉するようにしている。
【００１０】
すなわち、テレビ・リモコン（図示せず）からの、通常は赤外線によるリモコン信号をリモコン受光回路１により受信し、出力をタイマ回路５に与える。タイマ回路５は、これとは別に電流検知回路２の出力も与えられ、これらの一方が与えられれば出力をラッチングリレー１に与える。このラッチングリレー１は、瞬時励磁によりオン、オフ反転動作し、反転後の状態を自己保持するものである。
【００１１】
リモコン受光回路４，タイマ回路５および出力制御回路６の電源は、太陽電池７から充電回路８を経て充電電池９に蓄電、供給される。
【００１２】
いまテレビリモコンで、テレビの「電源オン」の操作がされてリモコン受光回路４が受信し、出力をタイマ回路５に送出したとする。これによりタイマ回路５は、設定された所定時間持続する出力を出力制御回路６に与える。出力制御回路６は、タイマ回路５の出力の立ち上がりを検出したとき瞬時出力を形成してラッチングリレー１に与え、ラッチングリレー１を反転動作、つまり現状でオフであればオンにさせる。
【００１３】
この結果、商用電源から図示しないテレビに給電され、電流検知回路２が給電電流を検知する。このときはテレビリモコンが「電源オン」の操作をされただけであるから、電流検知回路２の検知電流は所定値以下であり、タイマ回路５に出力を与えない。
【００１４】
次いで、テレビリモコンの更なる操作が行われてチャンネル選択が行われると、画像が映し出され、給電電流が大幅に増加する。これを電流検知回路２が検知してタイマ回路５に出力を与える。これにより、タイマ回路５は出力を形成し続けるからタイマ回路５の出力には変化がなく、出力制御回路６は出力を生じない。
したがって、テレビは画像を映し出した状態を継続する。
【００１５】
他方、テレビリモコンの「電源オン」操作からタイマ回路５に設定された所定時間の間、テレビリモコンの更なる操作が行われないと、電流検知回路２からタイマ回路５に対して出力が与えられないから、タイマ回路５は出力を生じなくなる。この出力が消失する立ち下がりを出力制御回路６が検知して、瞬時出力をラッチングリレー１に与えて反転動作させ、テレビへの給電を遮断する。
【００１６】
テレビの機種によるが、受信電波が終了すると画像が消失して待機状態に移行するものでは、放送終了時にテレビへの給電電流が減少する。したがって、電流検知回路２がタイマ回路５に出力を与えなくなり、所定時間を経てタイマ回路５の出力が消失するとその立ち下がりを出力制御回路６が検出して、ラッチングリレー１に瞬時出力を与える。これにより、テレビへの給電路が開放されてテレビが「電源オフ」の状態となり、待機状態での給電が終了する。
【００１７】
この後にテレビリモコンの「電源オン」操作が再び行われれば、上述の動作が再現されてテレビへの給電が行われる。
【００１８】
図２は、本発明の他の実施例の回路構成を示したものである。この実施例は、回路電源を図１の太陽電池の替わりに、出力端子ＯＵＴから取るようにした点に特徴がある。
【００１９】
図３は、本発明のさらに他の実施例の回路構成を示したものである。この実施例は、テレビが設置された空間に人が存在するときに給電可能とするものであり、人体検知センサ１１およびそれに従動する回路を設けた点に特徴がある。
【００２０】
人体検知センサ１１は、焦電センサ、超音波センサ、光電センサ等の種々の形式のものを用いることができ、所定の空間に人が存在すると出力を生じるもので、この出力はタイマ回路１２に与えられる。人体センサ１１およびタイマ回路１２は共に電池１３から給電される。
【００２１】
すなわち、テレビが設置された空間に人が入ってくると、人体検知センサ１１が人を検知してタイマ回路１２に出力を生じさせる。タイマ回路１２の出力に応じて電源制御回路１４が電源回路１５を作動させてテレビリモコン回路４、タイマ回路５，出力制御回路６に電源供給を行う。
【００２２】
（変形例）
上記実施例では、テレビを対象機器としたが、それ以外の電気機器についても待機状態で消費電力が減少する機器であれば、本発明を適用できることは無論である。
【００２３】
【発明の効果】
本発明は上述のように、リモコン受信回路の出力および機器電流検出用の電流検出回路の出力によって動作するタイマ回路の出力が継続しているか途切れるかに基づき、ラッチングリレーを作動させて電気機器の電源遮断を行うようにしたため、リモコン操作が長時間行われず機器が待機状態になったときには直ちに電源を遮断して節電を図る。
【図面の簡単な説明】
【図１】本発明の一実施例の回路構成を示すブロック線図。
【図２】本発明の他の実施例の回路構成を示すブロック線図。
【図３】本発明の更に他の実施例の回路構成を示すブロック線図。
【符号の説明】
１  ラッチングリレー
２  電流検知回路
３  手動ＳＷ（スイッチ）
４  テレビリモコン受光回路
５  タイマ回路
６  出力制御回路
７  太陽電池
８  充電回路
９  充電電池
１１  人体検知センサ
１２  タイマ回路
１３  電池
１４  電源制御回路
１５  電源回路
ＩＮ  入力端子
ＯＵＴ  出力端子
【図１】
0003877905.tif 000002
【図２】
0003877905.tif 000003
【図３】
0003877905.tif 000004